(57)【特許請求の範囲】
【請求項１】
互いに異なる方向に向けて地盤の斜面に沿って配索された複数の索状体を当該複数の索状体の交差部分の位置で上から押さえ付ける支圧アセンブリであって、
前記複数の索状体の交差部分の上に配置されるとともに、当該交差部分を外部に露出させる開口を有する支圧板と、
前記開口に挿入され、前記複数の索状体および前記支圧板を上から押さえる押さえ部材と
を備えており、
前記押さえ部材は、前記複数の索状体における前記交差部分を挟んで両側の部分をそれぞれ上から押さえる索状体押さえ部分と、前記支圧板における開口周辺の部分を上から押さえる支圧板押さえ部分と、地面に埋設されたロックボルトの斜面に突出した雄ねじ部が貫通可能な貫通孔を有し、その貫通孔に貫通した雄ねじ部に螺合するナットに当接して当該ナットによって下方に締め付けられることが可能なナット当接部分とを有しており、
前記押さえ部材は、前記ナット当接部分が前記ナットによって下方に締め付けられることにより、前記索状体押さえ部分が、前記支圧板の開口を通して当該支圧板よりも下方の位置に突出して、前記複数の索状体における前記交差部分を挟んで両側の部分をそれぞれ上から押さえ、それとともに、前記支圧板押さえ部分が、前記支圧板における開口周辺の部分を上から押さえることが可能な形状を有する、
ことを特徴とする支圧アセンブリ。
【請求項２】
前記索状体押さえ部分には、前記複数の索状体における前記交差部分を挟んで両側の部分が下方から挿入されることが可能となるように下向きに開口し、かつ、その挿入された当該交差部分を挟んで両側の部分を拘束する複数の凹部が形成されている、
請求項１に記載の支圧アセンブリ。
【請求項３】
前記凹部は、互いに交差する前記複数の索状体のうち、前記交差部分の上側を通る第１索状体が挿入される第１凹部と、前記交差部分の下側を通る第２索状体が挿入される第２凹部とを含み、
前記第１凹部は、前記第２凹部よりも大きな深さ寸法を有する、
請求項２に記載の支圧アセンブリ。
【請求項４】
前記押さえ部材は、前記貫通孔を囲むとともに、前記支圧板の開口よりも大きな外径を有してその周縁部が前記支圧板押え部分を構成する天壁と、この天壁のうちその周縁部よりも内側の部位から突出して下向きに開口するとともに、前記支圧板の開口内に挿入可能な外形を有する筒状の周壁とを有し、この周壁の下端において当該下端に沿って並ぶ複数の位置にそれぞれ前記凹部が形成されている、
請求項２または３記載の支圧アセンブリ。
【請求項５】
地盤の斜面上に設けられて当該斜面を安定させるための斜面安定化構造体であって、
前記斜面上で互いに離間する複数の位置にそれぞれ配設され、前記地盤内に埋め込まれる埋め込み部及びこの埋め込み部から前記斜面の上に突出する雄ねじ部を有する複数のロックボルトと、
前記各ロックボルトの近傍で互いに交差するように前記斜面上に配索される複数本の索状体と、
前記各ロックボルトの配設位置に設けられ、このロックボルトの近傍で互いに交差する索状体及びその下の斜面を上から押え付けるための複数の支圧アセンブリと、を備え、
前記支圧アセンブリのうちの少なくとも一部が請求項１から４のいずれかに記載の支圧アセンブリであり、当該支圧アセンブリの支圧板が、その開口が前記索状体同士の交差部分を露出させる位置で当該索状体の上に配置され、当該支圧アセンブリの押え部材が対応するロックボルトに取付けられて当該ロックボルトの雄ねじ部に螺合するナットによって締め付けられることにより前記索状体及び前記支圧板を上から押さえつけることを特徴とする斜面安定化構造体。
【請求項６】
前記第１索状体および前記第２索状体を前記支圧板の下面に連結する連結部をさらに備えている、
請求項５に記載の斜面安定化構造体。
【請求項７】
請求項５記載の斜面安定化構造体を用いて斜面の安定化を図る斜面安定化工法であって、
前記斜面の地中に所定間隔で複数の前記ロックボルトのそれぞれの所定の埋込み部分を埋設する埋設工程と、
前記第１索状体および前記第２索状体を、当該第１索状体と当該第２索状体との交差部分が前記ロックボルトに接触または近接するように、地盤の斜面に沿って配索する配索工程と、
前記支圧板を前記第１索状体および前記第２索状体の交差部分が前記開口の範囲内に位置するように斜面に配置する支圧板設置工程と、
前記押さえ部材の前記ナット当接部分を、前記貫通孔を通して前記ロックボルトの雄ねじ部に取り付けるとともに前記ナットによって下方に締め付けることにより、前記索状体押さえ部分が、前記支圧板の開口を通して当該支圧板よりも下方の位置に突出して、前記第１索状体および前記第２索状体における前記交差部分を挟んで両側の部分をそれぞれ上から押さえ、それとともに、前記支圧板押さえ部分が、前記支圧板における開口周辺の部分を上から押さえる押さえ部材設置工程と、
を含むことを特徴とする斜面安定化工法。
【発明の詳細な説明】
【技術分野】
【０００１】
本発明は、斜面の地盤の安定化を図るために互いに異なる方向に向けて地盤の斜面に沿って配索された複数の索状体を上から押さえ付ける支圧アセンブリ、斜面安定化構造体及び斜面安定化工法に関する。
【背景技術】
【０００２】
従来、山間部の道路沿いの土面等が露出した斜面には、その斜面の崩落を抑制するために当該斜面の地盤を支える支圧板が設置される場合がある。このような支圧板及びそれを用いた斜面安定化工法は、例えば、特許文献１などによって知られている。
【０００３】
この特許文献１には、斜面上に所定の配列で設置した複数の支圧板をそれぞれロックボルトによって斜面の地盤に固定するとともに、それら支圧板の間にワイヤロープを網目状に張り渡し、その各支圧板とワイヤロープとによって斜面の地盤を支えることにより斜面の安定化を図る斜面安定化工法が開示されている。この斜面安定化工法では、支圧板をロックボルトに設置した後に、当該支圧板の上面に突設されたリブなどへワイヤロープを掛けていき、隣接する支圧板の間を横断するようにワイヤロープを配索している。
【先行技術文献】
【特許文献】
【０００４】
【特許文献１】特許第３８３００６５号公報
【発明の概要】
【発明が解決しようとする課題】
【０００５】
しかしながら、上記の斜面安定化工法では、ワイヤロープが支圧板の上側に配索されるのを見れば、ワイヤロープに積極的に張力が付与されるわけではない。そのため、ワイヤロープを配索した後は、ワイヤロープ端部に設けたターンバックルのみでワイヤロープを緊張させるしかなく、地盤の押さえ込みに十分な張力が得られない場合がある。とくに、凹凸が多い広範囲の斜面を長尺のワイヤロープで地面を押さえ付ける場合には、ターンバックルを用いて長尺のワイヤロープの端部に張力を与えても、ターンバックルから離れたワイヤロープの中央付近では張力が十分伝達されずに地面を押さえる力が低下するおそれがある。
【０００６】
本発明は、上記の課題を解決するためになされたものであり、その目的は、索状体の全体に確実かつ簡単な作業で張力を与えることができ、斜面の安定化を図ることが可能である支圧アセンブリ、斜面安定化構造体及び斜面安定化工法を提供することである。
【課題を解決するための手段】
【０００７】
上記目的を達成するために、本発明による支圧アセンブリは、互いに異なる方向に向けて地盤の斜面に沿って配索された複数の索状体を当該複数の索状体の交差部分の位置で上から押さえ付ける支圧アセンブリであって、前記複数の索状体の交差部分の上に配置されるとともに、当該交差部分を外部に露出させる開口を有する支圧板と、前記開口に挿入され、前記複数の索状体および前記支圧板を上から押さえる押さえ部材とを備えており、前記押さえ部材は、前記複数の索状体における前記交差部分を挟んで両側の部分をそれぞれ上から押さえる索状体押さえ部分と、前記支圧板における開口周辺の部分を上から押さえる支圧板押さえ部分と、地面に埋設されたロックボルトの斜面に突出した雄ねじ部が貫通可能な貫通孔を有し、その貫通孔に貫通した雄ねじ部に螺合するナットに当接して当該ナットによって下方に締め付けられることが可能なナット当接部分とを有しており、前記押さえ部材は、前記ナット当接部分が前記ナットによって下方に締め付けられることにより、前記索状体押さえ部分が、前記支圧板の開口を通して当該支圧板よりも下方の位置に突出して、前記複数の索状体における前記交差部分を挟んで両側の部分をそれぞれ上から押さえ、それとともに、前記支圧板押さえ部分が、前記支圧板における開口周辺の部分を上から押さえることが可能な形状を有することを特徴としている。
【０００８】
かかる構成によれば、支圧アセンブリは、支圧板と、複数の索状体および支圧板を上方から押さえることが可能な押さえ部材を備えている。この押さえ部材のナット当接部分が、貫通孔を通してロックボルトの雄ねじ部に取り付けられるとともにナットによって下方に締め付けられたとき、ナットの締結力を受けたナット当接部分は、下方へ押圧される。そのとき、索状体押さえ部分は、支圧板の開口を通して当該支圧板よりも下方の位置に突出して、複数の索状体における交差部分を挟んで両側の部分をそれぞれ上から押さえることができる。それとともに、支圧板押さえ部分は、支圧板における開口周辺の部分を上から押さえることができる。これにより、複数の索状体に対してその交差部分の位置で張力を付与することができ、その結果、索状体の全体に確実かつ簡単な作業で張力を与えることができ、斜面の安定化を図ることができる。
【０００９】
また、本発明の支圧アセンブリは、押さえ部材の本体部分を支圧板の開口へ挿入し、ロックボルトの雄ねじ部にナットを締結させることにより、容易に組み立てることができるとともに、支圧板と索状体を確実に地盤へ押さえこむことができる。したがって、支圧アセンブリの取付け作業性が向上する。
【００１０】
前記索状体押さえ部分には、前記複数の索状体における前記交差部分を挟んで両側の部分が下方から挿入されることが可能となるように下向きに開口し、かつ、その挿入された当該交差部分を挟んで両側の部分を拘束する複数の凹部が形成されているのが好ましい。
【００１１】
かかる構成によれば、索状体押さえ部分には下向きに開口した凹部が形成されている。複数の索状体における交差部分を挟んで両側の部分は、当該凹部へ下方から挿入されると、当該凹部によって拘束される。これにより、索状体押さえ部分で複数の索状体を上から押さえたときに、索状体押さえ部分から複数の索状体のいずれかが外れて当該複数の索状体への押圧力が低減することを防止することができる。
【００１２】
また、前記凹部は、互いに交差する前記複数の索状体のうち、前記交差部分の上側を通る第１索状体が挿入される第１凹部と、前記交差部分の下側を通る第２索状体が挿入される第２凹部とを含み、前記第１凹部は、前記第２凹部よりも大きな深さ寸法を有するのが好ましい。
【００１３】
複数の索状体の交差部分では、通常、複数の索状体のいずれか一方の第１索状体が上を通り、他方の第２索状体が下を通る立体交差した状態になる。そのような状態において、上記の構成のように、上側の第１索状体が挿入される第１凹部が、下側の第２索状体が挿入される第２凹部よりも大きな深さ寸法を有するので、それぞれの索状体の高さに応じてそれに対応する凹部の内壁が密着して、異なる高さを通る複数の索状体に対して均等な押圧力を付与することができる。
【００１４】
また、前記押さえ部材は、前記貫通孔を囲むとともに、前記支圧板の開口よりも大きな外径を有してその周縁部が前記支圧板押え部分を構成する天壁と、この天壁のうちその周縁部よりも内側の部位から突出して下向きに開口するとともに、前記支圧板の開口内に挿入可能な外形を有する筒状の周壁とを有し、この周壁の下端において当該下端に沿って並ぶ複数の位置にそれぞれ前記凹部が形成されているのが好ましい。
【００１５】
かかる構成によれば、押さえ部材が、支圧板の開口よりも大きな外径を有する天壁と、開口内に挿入可能な筒状の周壁とからなるので、簡単な構造でありながら支圧板と索状体を確実に地盤へ押さえこむことができる。また、周壁の下端に沿って並ぶ複数の凹部によって、複数の索状体を確実に拘束することができる。
【００１６】
また、本発明の斜面安定化構造体は、地盤の斜面上に設けられて当該斜面を安定させるための斜面安定化構造体であって、前記斜面上で互いに離間する複数の位置にそれぞれ配設され、前記地盤内に埋め込まれる埋め込み部及びこの埋め込み部から前記斜面の上に突出する雄ねじ部を有する複数のロックボルトと、前記各ロックボルトの近傍で互いに交差するように前記斜面上に配索される複数本の索状体と、前記各ロックボルトの配設位置に設けられ、このロックボルトの近傍で互いに交差する索状体及びその下の斜面を上から押え付けるための複数の支圧アセンブリと、を備え、前記支圧アセンブリのうちの少なくとも一部が請求項１から４のいずれかに記載の支圧アセンブリであり、当該支圧アセンブリの支圧板が、その開口が前記索状体同士の交差部分を露出させる位置で当該索状体の上に配置され、当該支圧アセンブリの押え部材が対応するロックボルトに取付けられて当該ロックボルトの雄ねじ部に螺合するナットによって締め付けられることにより前記索状体及び前記支圧板を上から押さえつけることを特徴としている。
【００１７】
かかる構成によれば、押さえ部材のナット当接部分は、貫通孔を通してロックボルトの雄ねじ部に取り付けられるとともにナットによって下方に締め付けられている。ナットの締結力を受けたナット当接部分が下方へ押圧されている。そのため、索状体押さえ部分は、支圧板の開口を通して当該支圧板よりも下方の位置に突出して、複数の索状体における交差部分を挟んで両側の部分をそれぞれ上から押さえている。それとともに、支圧板押さえ部分は、支圧板における開口周辺の部分を上から押さえている。これにより、複数の索状体に対してその交差部分の位置で張力を与えることができ、その結果、索状体の全体に確実かつ簡単な作業で張力を与えることができ、斜面の安定化を図ることができる。また、斜面安定化構造体の取り付け作業性も向上する。
【００１８】
また、前記第１索状体および前記第２索状体を前記支圧板の下面に連結する連結部をさらに備えているのが好ましい。
【００１９】
かかる構成によれば、異なる方向に延びる第１索状体および第２索状体は、連結部によって、支圧板の外周縁にそれぞれ連結されるので、当該第１索状体および第２索状体が押さえ部材によって上から押さえ込まれた状態を確実に維持できるとともに、第１索状体および第２索状体のそれぞれの配索方向も確実に維持できる。
【００２０】
本発明の斜面安定化工法は、上記の斜面安定化構造体を用いて斜面の安定化を図る斜面安定化工法であって、前記斜面の地中に所定間隔で複数の前記ロックボルトのそれぞれの所定の埋込み部分を埋設する埋設工程と、前記第１索状体および前記第２索状体を、当該第１索状体と当該第２索状体との交差部分が前記ロックボルトに接触または近接するように、地盤の斜面に沿って配索する配索工程と、前記支圧板を前記第１索状体および前記第２索状体の交差部分が前記開口の範囲内に位置するように斜面に配置する支圧板設置工程と、前記押さえ部材の前記ナット当接部分を、前記貫通孔を通して前記ロックボルトの雄ねじ部に取り付けるとともに前記ナットによって下方に締め付けることにより、前記索状体押さえ部分が、前記支圧板の開口を通して当該支圧板よりも下方の位置に突出して、前記第１索状体および前記第２索状体における前記交差部分を挟んで両側の部分をそれぞれ上から押さえ、それとともに、前記支圧板押さえ部分が、前記支圧板における開口周辺の部分を上から押さえる押さえ部材設置工程とを含むことを特徴としている。
【００２１】
かかる工法によれば、押さえ部材のナット当接部分を、貫通孔を通してロックボルトの雄ねじ部に取り付けるとともにナットによって下方に締め付けることにより、ナットの締結力を受けたナット当接部分を下方へ押圧する。それにより、索状体押さえ部分が、支圧板の開口を通して当該支圧板よりも下方の位置に突出して、複数の索状体における交差部分を挟んで両側の部分をそれぞれ上から押さえ、それとともに、支圧板押さえ部分は、支圧板における開口周辺の部分を上から押さえる。これにより、複数の索状体に対してその交差部分の位置で張力を与えることができ、その結果、索状体の全体に確実かつ簡単な作業で張力を与えることができ、斜面の安定化を図ることができる。また、斜面安定化構造体の取り付け作業性も向上する。
【発明の効果】
【００２２】
以上説明したように、本発明によれば、索状体の全体に確実かつ簡単な作業で張力を与えることができ、その結果、斜面の安定化を図ることができる。また、支圧アセンブリおよびそれを用いた斜面安定化構造体の取り付け作業性も向上する。
【図面の簡単な説明】
【００２３】
【図１】本発明の斜面安定化構造体の一実施形態を示す平面図である。
【図２】図１のロックボルトおよび支圧アセンブリ付近の平面図である。
【図３】図１のロックボルトおよび支圧アセンブリ付近の断面図である。
【図４】図２の支圧板の平面図である。
【図５】図２の押さえパイプの縦断面図である。
【図６】図２の押さえパイプを斜め下方から見た図である。
【図７】図２の押さえパイプを上から見た図である。
【図８】図２の連結部の正面図である。
【図９】（ａ）は、図２の連結部における特殊座金の両端がＵボルトの雄ねじ部に固定された状態を上から見た図であり、（ｂ）は、図２の連結部における特殊座金の一端がＵボルトの雄ねじ部から外れている状態を上から見た図である。
【図１０】図１のクロスクリップの平面図である。
【図１１】図１のアンカークリップの平面図である。
【図１２】図１の斜面安定化構造体を用いた斜面安定化工法のロックボルト埋設工程を示す（ａ）平面図および（ｂ）縦断面図である。
【図１３】図１の斜面安定化構造体を用いた斜面安定化工法の配索工程を示す（ａ）平面図および（ｂ）縦断面図である。
【図１４】図１の斜面安定化構造体を用いた斜面安定化工法の支圧板設置工程を示す（ａ）平面図および（ｂ）縦断面図である。
【図１５】図１の斜面安定化構造体を用いた斜面安定化工法の押さえパイプ設置工程を示す（ａ）平面図および（ｂ）縦断面図である。
【図１６】図１５（ｂ）の斜面安定化構造体を用いた斜面安定化工法の押さえパイプ設置工程における押さえパイプ付近の拡大図である。
【発明を実施するための形態】
【００２４】
以下、本発明の支圧アセンブリならびにそれを用いた斜面安定化構造体、そして当該斜面安定化構造体を用いた斜面安定化工法の実施形態について図面を参照しながら説明する。
【００２５】
（斜面安定化構造体の全体構成）
図１〜３に示されるように、本実施形態の斜面安定化構造体１は、地盤の斜面上に設けられて当該斜面を安定させるものであり、複数の索状体、すなわち第１ワイヤロープ４および第２ワイヤロープ５が互いに異なる方向に向けて傾斜地の斜面に沿って配索され、当該第１ワイヤロープ４および第２ワイヤロープ５が支圧アセンブリ２を介して地中のロックボルト３に一体に連結された構造体である。
【００２６】
具体的には、斜面安定化構造体１は、複数の支圧アセンブリ２と、当該支圧アセンブリ２を斜面に固定する複数のロックボルト３と、斜面の水平方向Ｘに延びる複数の第１ワイヤロープ４と、斜面の傾斜方向Ｙに延びる複数の第２ワイヤロープ５と、ロックボルト３に連結可能な複数の締付ナット６と、当該第１ワイヤロープ４および第２ワイヤロープ５を支圧アセンブリ２に連結する複数の連結部７とを備えている。
【００２７】
ここで、水平方向Ｘとは、斜面の等高線に沿った方向をいう。また、傾斜方向Ｙとは、斜面上において水平方向Ｘと直交する方向をいう。
【００２８】
（支圧アセンブリの構成）
支圧アセンブリ２は、図２〜３に示されるように、互いに異なる方向に向けて地盤の斜面に沿って配索された第１ワイヤロープ４および第２ワイヤロープ５を当該第１ワイヤロープ４および第２ワイヤロープ５の交差部分１８の位置で上から押さえ付けるものである。支圧アセンブリ２は、支圧板９と、押さえ部材１０とを備えている。
【００２９】
支圧板９は、図４に示されるように、略正方形形状を呈する金属板であり、第１ワイヤロープ４および第２ワイヤロープ５の交差部分１８の上に配置される。支圧板９の中央には、当該交差部分１８を外部に露出させる円形の開口１１を有する。さらに支圧板９の外周の四辺のそれぞれの縁には、一対の取付溝９ａが形成されている。また、一対の取付溝９ａの奥端付近には、角孔９ｂが形成されている。
【００３０】
なお、支圧板９の形状については、本発明ではとくに限定されるものではなく、略正方形状の他にも種々の形状を採用することが可能であり、例えば、円形形状でもよい。
【００３１】
本実施形態の押さえ部材１０は、図５〜７に示されるように、支圧板９の開口１１に挿入されて取り付けられ、第１ワイヤロープ４および第２ワイヤロープ５を上から押さえるとともに支圧板９を上から押さえる部材であり、主要な構成として、周壁３１と、その周壁３１の上端に設けられた天壁３２とから構成されている。
【００３２】
周壁３１は、筒状の部材からなり、天壁３２のうちその周縁部よりも内側の部位から突出して下向きに開口するとともに、支圧板９の開口１１内に挿入可能な外形を有する。この周壁３１の下端において当該下端に沿って並ぶ複数の位置にそれぞれ第１凹部１５、第２凹部１６が形成されている。周壁３１における第１凹部１５および第２凹部１６を含む下端部分は、索状体押さえ部分１２となる。
【００３３】
天壁３２は、地面に埋設されたロックボルト３の斜面に突出した雄ねじ部１９が貫通可能な貫通孔１７が形成された円板からなり、貫通孔１７を囲むナット当接部分１４を有するとともに、支圧板９の開口１１よりも大きな外径を有してその周縁部が支圧板押え部分１３を構成する。
【００３４】
押さえ部材１０の各部分は、具体的には、以下のように構成されている。
【００３５】
支圧板押さえ部分１３は、周壁３１の外周面から径外方向へ突出し、支圧板９における開口１１周辺の部分を上から押さえることができるような形状を有しており、本実施形態では天壁３２の周縁における円周状のフランジ部分で構成されている。
【００３６】
ナット当接部分１４は、天壁３２の貫通孔１７およびその周囲の部分であり、貫通孔１７を有し、その貫通孔１７に貫通した雄ねじ部１９に螺合する締付ナット６に当接して当該締付ナット６によって下方に締め付けられることが可能な部分である。
【００３７】
本実施形態では、支圧板押さえ部分１３とナット当接部分１４とが一枚の円板形状の天壁３２で一体に形成されているが、これらが分離した形態であってもよい。
【００３８】
図５〜６に示されるように、押さえ部材１０の周壁３１の下端の索状体押さえ部分１２には、第１ワイヤロープ４および第２ワイヤロープ５における交差部分１８を挟んで両側の部分４ａ、５ａが下方から挿入されることが可能となるように下向きに開口する第１凹部１５および第２凹部１６が形成されている。第１凹部１５には、交差部分１８の上側を通る第１ワイヤロープ４が挿入され、第２凹部１６には、交差部分１８の下側を通る第２ワイヤロープ５が挿入される。挿入された第１ワイヤロープ４および第２ワイヤロープ５における交差部分１８を挟んで両側の部分４ａ、５ａは、第１凹部１５および第２凹部１６によってそれぞれ拘束される。すなわち、第１凹部１５、第２凹部１６の内壁１５ａ、１６ａは、第１ワイヤロープ４および第２ワイヤロープ５の交差部分１８を挟んで両側の部分４ａ、５ａを上から押さえる索状体押さえ部分１２として機能することができる。これにより、周壁３１の下端の索状体押さえ部分１２で第１ワイヤロープ４および第２ワイヤロープ５を上から押さえたときに、当該索状体押さえ部分１２から第１ワイヤロープ４および第２ワイヤロープ５が外れて第１ワイヤロープ４および第２ワイヤロープ５への押圧力が低減することを防止することができる。
【００３９】
図５〜６に示されるように、上側を通る第１ワイヤロープ４に係合する第１凹部１５の深さＨ１は、下側を通る第２ワイヤロープ５に係合する第２凹部の深さＨ２よりも深くなるように寸法設定されている。そのため、第１ワイヤロープ４および第２ワイヤロープ５の高さに対応して、第１ワイヤロープ４および第２ワイヤロープ５が第１凹部１５および第２凹部１６にそれぞれ密着して係合することができ、異なる高さを通る第１ワイヤロープ４および第２ワイヤロープ５に対して均等な押圧力を付与することができる。
【００４０】
なお、第１ワイヤロープ４が下側を通り、第２ワイヤロープ５が上側を通る場合には、それに対応して、第１凹部１５の深さＨ１よりも第２凹部１６の深さＨ２を深くなるように、それぞれの深さＨ１、Ｈ２を設定すればよい。
【００４１】
また、図５〜６に示されるように、本実施形態では、第１凹部１５および第２凹部１６が２個ずつ横に並んだ状態で、第１凹部１５同士または第２凹部１６同士が対向して配置されているので、第１ワイヤロープ４および第２ワイヤロープ５は、２個ずつ横に並ぶ第１凹部１５および第２凹部１６のいずれか一方に係合させればよいので、第１ワイヤロープ４を第１凹部１５に係合させると同時に第２ワイヤロープ５を第２凹部１６に係合させる作業を容易に行うことが可能である。
【００４２】
また、本実施形態では、押さえ部材１０の周壁３１の下端のうち隣接する上記凹部１５、１６の間に挟まれた部分は、幅が狭く、若干とがっているので、上記ワイヤロープ４、５を押さえ付けずに当該ワイヤロープ４、５を円滑に凹部１５、１６へ導くことが可能である。
【００４３】
図２〜３に示されるように、押さえ部材１０は、支圧板９の開口１１に挿入された状態では、押さえ部材１０のナット当接部分１４がその貫通孔１７にロックボルト３の雄ねじ部１９が通され、当該雄ねじ部１９に締付ナット６が締結されることにより、締付ナット６の締結力を受けたナット当接部分１４が下方へ押圧される。そのとき、その支圧板押さえ部分１３が支圧板９における開口１１の周辺の部分を上から押さえることができ、それとともに、その周壁３１の索状体押さえ部分１２が、支圧板９の開口１１を通して当該支圧板９よりも下方の位置に突出して地中に埋没し、かつ、第１ワイヤロープ４および第２ワイヤロープ５の交差部分１８を挟んで両側の部分４ａ、５ａを第１凹部１５および第２凹部１６の内壁１５ａ、１６ａによって上から同時に押さえることができる。
【００４４】
このような押さえ部材１０は、支圧板押さえ部分１３が支圧板９における開口１１の周辺の部分を上から押さえると同時に索状体押さえ部分１２（さらに具体的には、その第１凹部１５および第２凹部１６の内壁１５ａ、１６ａ）が第１ワイヤロープ４および第２ワイヤロープ５の交差部分１８を挟んで両側の部分４ａ、５ａを上から押さえることができるような形状および寸法になっていればよい。
【００４５】
（その他の構成）
複数のロックボルト３は、図１〜３および図１２（ａ）、（ｂ）に示されるように、斜面Ｇの上に配置される雄ねじ部１９と、雄ねじ部１９に連続して地中の縦孔Ｖに埋め込まれる埋め込み部２０を有する。埋め込み部２０の外周面には、らせん状の突起２０ａが形成されている。
【００４６】
ロックボルト３は、図１に示されるように、水平方向Ｘおよび傾斜方向Ｙにそれぞれ並び、かつ、近隣の３本のロックボルト３によって正三角形が形成されるように配置されている。
【００４７】
また、本実施形態では、図３に示されるように、ロックボルト３の埋め込み部２０を地面に埋め込むときに、埋め込み部２０と地面の縦穴Ｖの内周面との間に隙間を確保するために、埋め込み部２０は、スペーサ２６とともに縦穴Ｖに挿入される。
【００４８】
第１ワイヤロープ４は、本発明の第１の特定方向である水平方向Ｘ（図１参照）に向けて斜面に配置されたワイヤロープである。第２ワイヤロープ５は、第１の特定方向と異なる本発明の第２の特定方向、すなわち、水平方向Ｘと直交する斜面の傾斜方向Ｙ（同図１参照）に向けて斜面に配置されたワイヤロープである。
【００４９】
本実施形態では、図１に示されるように、第１ワイヤロープ４は、水平方向Ｘに並ぶロックボルト３の列に沿って配索されるだけでなく、ロックボルト３を通らない位置にも、他の第１ワイヤロープ４と平行になるように配索されている。また同様に、第２ワイヤロープ５も、傾斜方向Ｙに並ぶロックボルト３の列に沿って配索されるだけでなく、ロックボルト３を通らない位置にも、他の第２ワイヤロープ５と平行になるように配索されている。
【００５０】
また、支圧アセンブリ２が配置されている位置以外の場所で第１ワイヤロープ４および第２ワイヤロープ５が交差している部分Ａ（図１参照）では、図１および図１０に示されるような従来より用いられるクロスクリップ２４によって第１ワイヤロープ４および第２ワイヤロープ５が互いに直交した状態で連結される。
【００５１】
また、図１および図１１に示されるように、最も外側の第２ワイヤロープ５は、第１ワイヤロープ４の端部４ｂとともに、複数のアンカークリップ２５に連結される。アンカークリップ２５は、図示しないセメントカプセル等によって地面に固定される。
【００５２】
図２〜３に示されるように、締付ナット６は、ロックボルト３の雄ねじ部１９に連結可能なナットである。締付ナット６の外径は、締付ナット６によって押さえ部材１０のナット当接部分１４を上から押さえることができるように、そのナット当接部分１４の貫通孔１７の内径よりも大きくなるように設定されている。
【００５３】
複数の連結部７は、第１ワイヤロープ４および第２ワイヤロープ５を支圧板９の下面に連結する。
【００５４】
連結部７は、図８および図９（ａ）、（ｂ）に示されるように、それぞれ、Ｕボルト２１と、特殊座金２２と、ナット２３とを備えている。
【００５５】
Ｕボルト２１は、Ｕ字状を呈する金具である。Ｕボルト２１の両端部には、雄ねじ部２１ａ、２１ｂが形成されている。
【００５６】
Ｕボルト２１の雄ねじ部２１ａ、２１ｂが支圧板９の外周の四辺の縁に形成された一対の取付溝９ａに挿入されることによって、連結部７は支圧板９の外周の４個所に取り付けられる。
【００５７】
特殊座金２２は、矩形または楕円形状の金属薄板からなり、Ｕボルト２１の両端部に連結するために、側方に開放した切欠き２２ａと貫通孔２２ｂとが並んで形成されている。したがって、貫通孔２２ｂにＵボルト２１の一方の雄ねじ部２１ｂが挿入され、両方の雄ねじ部２１ａ、２１ｂにナット２３が取り付けられた状態で、図９（ｂ）に示されるように特殊座金２２をその雄ねじ部２１ｂまわりに回転させれば、他方の雄ねじ部２１ａが切欠き２２ａの内部にはまり込んで容易にＵボルト２１と特殊座金２２によって囲まれた空間を閉じることができ、連結部７を第１ワイヤロープ４および第２ワイヤロープ５に容易に連結することができる。
【００５８】
また、特殊座金２２の側面には、下向きに延びる爪２２ｃが形成されている。この爪２２ｃは、支圧板９の角孔９ｂ(図４参照)に引っかけることが可能である。この爪２２ｃと角孔９ｂとの係合によって、ナット２３を締め付ける前に、連結部７を支圧板９の周囲に容易かつ確実に仮止めすることができる。
【００５９】
この連結部７を用いて、第１ワイヤロープ４および第２ワイヤロープ５を支圧板９に連結させる場合、まず、特殊座金２２をＵボルト２１の雄ねじ部２１ｂまわりに回転させて連結部７を第１ワイヤロープ４および第２ワイヤロープ５に連結する。ついで、連結部７のＵボルト２１を支圧板９の取付溝９ａに挿入させ、特殊座金２２の爪２２ｃを支圧板９の角孔９ｂに係合させた後、ナット２３を締めれば、第１ワイヤロープ４および第２ワイヤロープ５を支圧板９の下面に容易に連結させることができる。
【００６０】
（斜面安定化工法の説明）
つぎに図１２〜１５を参照しながら、上記実施形態の斜面安定化構造体１を用いた斜面安定化工法について説明する。
【００６１】
まず、図１２に示されるように、斜面安定化構造体1を設置する予定の傾斜地にある石や倒木などの障害物を除去して傾斜地の斜面Ｇを整地し、その後、斜面Ｇに縦孔Ｖを所定の場所(図１のロックボルト３の位置)に所定間隔で形成する。なお、図１２〜１５では、図面製作の便宜のため、斜面Ｇが紙面上を水平に延びるように図示されている。
【００６２】
ついで、図１２に示されるように、斜面Ｇの地中に所定間隔で形成された縦孔Ｖに複数のロックボルト３の埋め込み部２０をスペーサ２６（図３参照）を付けた状態で挿入する。その後、縦孔Ｖへグラウトなどの硬化剤を注入して固化させることにより、ロックボルト３の埋め込み部２０を埋設させる（埋設工程）。このとき、埋め込み部２０の外周面に形成されたらせん状の突起２０ａが、縦孔Ｖに充填されるグラウトに密着することにより、埋め込み部２０が縦孔Ｖから抜けにくくなる。
【００６３】
その後、図１３に示されるように、第１ワイヤロープ４および第２ワイヤロープ５を、それぞれの交差部分１８が前記ロックボルトに接触または近接するように地盤の斜面Ｇに沿って配索する（配索工程）。このとき、第１ワイヤロープ４および第２ワイヤロープ５は、それらの端部をアンカークリップ２５などに固定するとともに、たるまないようにターンバックル（図示せず）などで緊張させておく。また、このとき、ロックボルト３を通らない位置にも他の第１ワイヤロープ４および第２ワイヤロープ５を配索して、それぞれの交点をクロスクリップ２４で固定する。
【００６４】
ついで、図１４に示されるように、支圧板９を第１ワイヤロープ４および第２ワイヤロープ５の交差部分１８が開口１１の範囲内に位置するように斜面Ｇに配置する（支圧板設置工程）。
【００６５】
つぎに、図１５〜１６に示されるように、支圧アセンブリ２の押さえ部材１０の周壁３１を、支圧板９の開口１１に挿入するとともに当該押さえ部材１０の天壁３１（具体的には、当該天壁３１のナット当接部分１４）の貫通孔１７にロックボルト３の雄ねじ部１９を貫通させる。このとき、押さえ部材１０の周壁３１の下端の索状体押さえ部分１２は、斜面Ｇの地中にもぐり込みながら、その第１凹部１５に第１ワイヤロープ４が係合し、第２凹部１６に第２ワイヤロープ５が係合する。これらの作業をする際、作業者は、支圧板９の開口１１を通して第１ワイヤロープ４および第２ワイヤロープ５を見ながら、周壁３１の第１凹部１５および第２凹部１６を第１ワイヤロープ４および第２ワイヤロープ５へ確実に係合させることができる。
【００６６】
この状態で、本実施形態では、連結部７のナット２３を緩めた状態で支圧板９の外周縁の４個所に取り付けて、第１ワイヤロープ４および第２ワイヤロープ５を支圧板９の下面に仮止め固定する。
【００６７】
その後、押さえ部材１０のナット当接部分１４を、貫通孔１７を通してロックボルト３の雄ねじ部１９に取り付けるとともに締付ナット６によって下方に締め付けることにより、周壁３１の下端の索状体押さえ部分１２が、支圧板９の開口１１を通して当該支圧板９よりも下方の位置に突出して、第１ワイヤロープ４および第２ワイヤロープ５における交差部分１８を挟んで両側の部分４ａ、５ａをそれぞれ上から押さえ、それとともに、支圧板押さえ部分１３が、支圧板９における開口１１の周辺の部分を上から押さえる（押さえパイプ設置工程）。これにより、複数の第１ワイヤロープ４および第２ワイヤロープ５をその交差部分１８の位置で張力を与えることができる。
【００６８】
最後に、連結部７のナット２３を締め付けることにより、連結部７のＵボルト２１と支圧板９の下面との間で第１ワイヤロープ４および第２ワイヤロープ５が強固に固定される。
【００６９】
なお、斜面に露出しているロックボルト３の雄ねじ部１９および締付ナット６における錆の発生を防止するために、これらの雄ねじ部１９および締付ナット６を頭部キャップで保護するとともに、その頭部キャップ内部に防錆油を充填するのが好ましい。
【００７０】
以上のように構成された本実施形態の支柱アセンブリでは、支圧アセンブリ２は、支圧板９と、第１ワイヤロープ４および第２ワイヤロープ５を押さえることが可能な押さえ部材１０とを備えている。この押さえ部材１０では、支圧板９の開口１１に挿入された状態では、押さえ部材１０のナット当接部分１４がその貫通孔１７にロックボルト３の雄ねじ部１９が通され、当該雄ねじ部１９に締付ナット６が締結されることにより、締付ナット６の締結力を受けたナット当接部分１４が下方へ押圧される。そのとき、その支圧板押さえ部分１３が支圧板９における開口１１の周辺の部分を上から押さえることができ、それとともに、その周壁３１の下端の索状体押さえ部分１２が、支圧板９の開口１１を通して当該支圧板９よりも下方の位置に突出して地中に埋没し、かつ、第１ワイヤロープ４および第２ワイヤロープ５の交差部分１８を挟んで両側の部分４ａ、５ａをそれぞれ上から押さえることができる。これにより、第１ワイヤロープ４および第２ワイヤロープ５をその交差部分１８の位置で張力を与えることができ、その結果、第１ワイヤロープ４および第２ワイヤロープ５の全体に確実かつ簡単な作業で張力を与えることができ、斜面の安定化を図ることができる。また、索状体押さえ部分１２を含む周壁３１を支圧板９の開口１１へ挿入し、ロックボルト３の雄ねじ部１９に締付ナット６が締結させることにより、容易に組み立てることができ、支圧板９と第１ワイヤロープ４および第２ワイヤロープ５とを確実に地盤へ押さえこむことができる。したがって、支圧アセンブリ２の取付け作業性が向上する。
【００７１】
また、本実施形態では、周壁３１の下端の索状体押さえ部分１２には下向きに開口した第１凹部１５および第２凹部１６が形成されており、第１ワイヤロープ４および第２ワイヤロープ５における交差部分１８を挟んで両側の部分４ａ、５ａは、第１凹部１５および第２凹部１６へ下方から挿入されると、当該凹部１５、１６によって拘束される。これにより、周壁３１の下端の索状体押さえ部分１２で第１ワイヤロープ４および第２ワイヤロープ５を上から押さえたときに、周壁３１の下端の索状体押さえ部分１２から第１ワイヤロープ４および第２ワイヤロープ５が外れて第１ワイヤロープ４および第２ワイヤロープ５への押圧力が低減することを防止することができる。
【００７２】
また、本実施形態では、第１ワイヤロープ４および第２ワイヤロープ５の交差部分１８では、第１ワイヤロープ４および第２ワイヤロープ５のいずれか一方が上を通り、他方が下を通る立体交差した状態になり、第１ワイヤロープ４および第２ワイヤロープ５が異なる高さで配索される。そのような場合でも、上側の第１ワイヤロープ４が挿入される第１凹部１５の深さＨ１が、下側の第２ワイヤロープ５が挿入される第２凹部１６の深さＨ２よりも大きな深さ寸法になるように寸法設定されているので、第１ワイヤロープ４および第２ワイヤロープ５の高さに対応して、第１ワイヤロープ４および第２ワイヤロープ５が第１凹部１５および第２凹部１６に密着して異なる高さを通る第１ワイヤロープ４および第２ワイヤロープ５に対して均等な押圧力を付与することができる。
【００７３】
また、本実施形態の押さえ部材１０は、支圧板９の開口１１よりも大きな外径を有する天壁３２と、当該開口１１内に挿入可能な筒状の周壁３１とからなる構造を有しているので、簡単な構造でありながら支圧板と索状体を確実に地盤へ押さえこむことができる。また、周壁３１の下端に沿って並ぶ第１凹部１５および第２凹部１６によって、第１ワイヤロープ４および第２ワイヤロープ５を確実に拘束することができる。
【００７４】
本実施形態の斜面安定化構造体１およびそれを用いた斜面安定化工法では、押さえ部材１０のナット当接部分１４は、貫通孔１７を通してロックボルト３の雄ねじ部１９に取り付けられるとともに締付ナット６によって下方に締め付けられている。締付ナット６の締結力を受けたナット当接部分１４が下方へ押圧されるため、周壁３１の下端の索状体押さえ部分１２は、支圧板９の開口１１を通して当該支圧板９よりも下方の位置に突出して第１ワイヤロープ４および第２ワイヤロープ５における交差部分１８を挟んで両側の部分４ａ、５ａをそれぞれ上から押さえ、それとともに、支圧板押さえ部分１３は、支圧板９における開口１１周辺の部分を上から押さえる。これにより、第１ワイヤロープ４および第２ワイヤロープ５に対してその交差部分１８の位置で張力を与えることができ、その結果、第１ワイヤロープ４および第２ワイヤロープ５の全体に確実かつ簡単な作業で張力を与えることができ、斜面の安定化を図ることができる。また、斜面安定化構造体１の取り付け作業性も向上する。
【００７５】
さらに本実施形態では、異なる方向に延びる第１ワイヤロープ４および第２ワイヤロープ５は、それぞれ連結部７によって、支圧板９の外周縁に連結されるので、当該第１ワイヤロープ４および第２ワイヤロープ５が押さえ部材１０によって上から押さえ込まれた状態を確実に維持できるとともに、第１ワイヤロープ４および第２ワイヤロープ５の配索方向も確実に維持できる。
【００７６】
なお、上記の実施形態では、複数の索状体における交差部分を挟んで両側の部分をそれぞれ上から押さえる索状体押さえ部分１２として、押さえ部材１０における筒状の周壁３１の下端部分を例にあげて説明したが、本発明はこれに限定されるものではなく、複数の索状体における交差部分を挟んで両側の部分をそれぞれ上から押さえること可能であれば、種々の形態の索状体押さえ部分を採用することができる。例えば、十字形状の金具からなり、その四方に延びる先端部分に索状体を押圧可能な長さを有する突起が設けられたものであっても、本発明の索状体押さえ部分の概念に含まれるものである。
【００７７】
また、上記実施形態では、本発明の支圧板押さえ部分の一例として、周壁３１の外周面全周にわたって径外方向へ突出している円周状の支圧板押さえ部分１３が示されているが、本発明はこれに限定されるものではなく、押さえ部材１０がぐらつかないで支圧板９を上方から押圧できれば種々の形態の支圧板押さえ部分を採用することが可能であり、例えば、周壁３１の外周から断続的に突出する複数の突起でもよい。
【００７８】
さらに、上記実施形態では、本発明のナット当接部分の一例として平板状のナット当接部分１４が例示されているが、本発明はこれに限定されるものではなく、締付ナット６に当接できる形状であれば種々の形態のナット当接部分を採用することが可能である。ただし、締付ナット６との面接触を可能にするために、少なくとも締付ナット６に当接する部分が平面であるのが好ましい。
【符号の説明】
【００７９】
１  斜面安定化構造体
２  支圧アセンブリ
３  ロックボルト
４  第１ワイヤロープ
５  第２ワイヤロープ
６  締付ナット
７  連結部
９  支圧板
１０  押さえ部材
１１  開口
１２  索状体押さえ部分
１３  支圧板押さえ部分
１４  ナット当接部分
１５  第１凹部
１６  第２凹部
１７  貫通孔
１８  交差部分
１９  雄ねじ部
２０  埋め込み部
２１  Ｕボルト
２２  特殊座金
２３  ナット
３１  周壁
３２  天壁
【図１】
0005554220.tif 000002
【図２】
0005554220.tif 000003
【図３】
0005554220.tif 000004
【図４】
0005554220.tif 000005
【図５】
0005554220.tif 000006
【図６】
0005554220.tif 000007
【図７】
0005554220.tif 000008
【図８】
0005554220.tif 000009
【図９】
0005554220.tif 000010
【図１０】
0005554220.tif 000011
【図１１】
0005554220.tif 000012
【図１２】
0005554220.tif 000013
【図１３】
0005554220.tif 000014
【図１４】
0005554220.tif 000015
【図１５】
0005554220.tif 000016
【図１６】
0005554220.tif 000017